(57)【特許請求の範囲】
【請求項１】
上部に把手（１０ｈ）とキャップ付き注出口（１０ｃ）を有し、容易に屈曲し得る程度薄肉で全体がほぼ均一に形成された幅の狭い直方体のプラスチック成形容器（１０）と、この容器全体を内装可能な幅の狭い直方体の保護用紙箱（２０）とからなり、成形容器（１０）が紙箱（２０）に内装された状態で、紙箱（２０）はその上面重合部（２７，２７）にそれぞれ独立して不連続の２つの切り欠き開口部（２７ａ、２７ｂ）を現し、それぞれの開口部を介して成形容器の把手（１０ｈ）とキャップ（１０ｃ）に手が届くようにし、この上面重合部は幅が狭くその切り欠き開口部（２７ａ、２７ｂ）の領域が小さく、この領域を除いた上面重合部が１つの平面を構成して、積み重ね可能にかつ積み重ねに耐え得るようにしたことを特徴とする、液体収納二重容器。
【請求項２】
成形容器（１０）の把手（１０ｈ）の近くに２つの筋状の凹溝（１０ｓ）が形設されており、紙箱（２０）の上面重合部における把手用切り欠き開口部（２７ａ）を形成する折れ片（２７ｓ）の先端部が前記凹溝（１０ｓ）に掛け止めされていることを特徴とする、請求項１に記載の液体収納二重容器。
【発明の詳細な説明】
【０００１】
【発明の属する技術分野】
本発明は、上部に把手とキャップ付き注出口を有し、容易に屈曲し得る程度薄肉で全体が均一に形成されたプラスチック成形容器と、この容器を内装した保護用紙箱と、からなる液体収納二重容器に関し、とくに紙箱の改良された上面重合部に関する。
【０００２】
【従来の技術】
液体状の飲食品等を収納する液体収納容器として、実用新案登録第３００２３８３号公報により、容器本体の上部に開口部が形成され、この開口部に施蓋される蓋体を備えた液体収納容器において、前記容器本体と開口部とが、ブロー成形により一体成形されるとともに、前記容器本体の側壁及び底壁が、容易に屈曲し得る程度薄肉で全体が均一に形成され、前記容器本体の上部には把手を形成したことを特徴とする液体収納容器は、知られている。
【０００３】
なお、このような容器は、側壁の厚みが約１ミリ程度に形成されており、食品工場等の製造所から飲食店まで搬送する際に内溶液が漏れる問題を防止するため、通常、厚手の段ボール箱に収容されるようになっており、前記公報に記載されているとおりである。
【０００４】
また、実用新案登録第３０５２１００号公報により開示されたもので、図４及び図５に示すようなものが知られている。上部にキャップ付き液体取出口２ｃ及び把手２ｈを有するプラスチック製容器本体２と、この容器本体を収容する段ボール等の紙製の箱体１とからなり、箱体上部に連設された複数の上部耳片の先端側を内方へ折曲することによって、容器本体を箱体に収容したときに把手２ｈを露出させるための開口１ａが形成される液体収納容器が知られている。
【０００５】
【発明が解決しようとする課題】
前記した２つの液体収納容器は、いずれも上下面が正四角形になっており、幅が広く場所をとる。ところで、洗剤、薬品などの収納容器においては、これらが消耗品で多量に消費されるために、洗浄機など使用される機器のそばで、一般的に狭いスペースしかない場所に対応するために幅の狭い収容容器が望まれ、またなるべく積み重ねるなどして多くの収納容器を待機させておく必要がある。
【０００６】
前記した実用新案登録第３０５２１００号による液体収納容器は、図４に示すように、その上面部に把手２ｈとキャップ２ｃとのために大きな開口部１ａがあり、この上面部は正四角形の角柱体で幅広く、狭いスペースしかない場所では置けず、不便であった。
【０００７】
本発明の目的は、このような不都合を解消するためで、機器などにより大方の場所が占有されてもその他の隅部など狭いスペースの場所を有効に利用でき、その場所に置くことができ、また上下に積み重ねに耐え得るようにした、液体収納二重容器を提供することである。
【０００８】
【課題を解決するための手段】
前記した目的は、上部に把手とキャップ付き注出口を有し、容易に屈曲し得る程度薄肉で全体がほぼ均一に形成された幅の狭い直方体のプラスチック成形容器と、この容器全体を内装可能な幅の狭い直方体の保護用紙箱とからなり、成形容器が紙箱に内装された状態で、紙箱はその上面重合部にそれぞれ独立して不連続の２つの切り欠き開口部を現し、それぞれの開口部を介して成形容器の把手とキャップに手が届くようにし、この上面重合部は幅が狭くその切り欠き開口部の領域が小さく、この領域を除いた上面重合部が１つの平面を構成して、積み重ね可能にかつ積み重ねに耐え得るようにしたことにより、達成される。
【０００９】
【作用】
プラスチック成形容器は幅が広いと狭いスペースに置けないので、これを幅の狭い直方体にして、狭い隙間などの場所を利用できるようにする。
また、上下に積み重ねができるように、紙箱の上面重合部に切り欠き開口部を連続して設けず、開口による窪む領域を小さくして、これにより上面平面部領域が占める割合を大きくし、その上面重合部全体が積み重ねに耐え得るように構成する。
【００１０】
【発明の実施の形態】
本発明の好適な実施例は、図面の図１、図２及び図３に基づいて説明される。
【００１１】
本発明によるプラスチック成形容器１０は、図２に示すように、上部に把手１０ｈとキャップ付き注出口１０ｃを備えており、全体が灯油の容器のように、幅の狭い直方体である。なお、把手１０ｈに平行して凹溝１０ｓを成形させておくことが好ましい。
成形樹脂材料の１例として低密度ポリエチレン７５％と高密度ポリエチレン２５％の配合のものを使って、容器本体側面の肉厚を０．６−２．０ミリにし、また重量は５００グラム前後のものが得られた。しかしこれは１例であり、他の配合率またポリエチレン以外の樹脂を使ってもよい。なお、図示例のものは幅１８０，長さ３５０，高さ３２５ミリである。
成形容器のとくに側面部の肉厚は０．５−２．５ミリの範囲とするのが好ましい。０．５ミリ未満だと成形容器だけで安定的に自立できなくなり、２．５ミリを越えると、人力で成形容器を屈曲し減容する事が困難となる。
【００１２】
この容器１０を内装する保護用紙箱２０は、図１に示すように、これも細長状の長方形立方体で、上面重合部は、成形容器１０の把手１０ｈとキャップ１０ｃに手が届くようにしたそれぞれ独立して不連続の２つの切り欠き開口部２７ａ，２７ｂを備えており、これら２つの開口部２７ａ，２７ｂを介して、成形容器１０の把手１０ｈとキャップ１０ｃに手が届くようになっている。
紙箱は段ボールが一般に使われる。例えば、材質はＫ２８０ｘ１８０（強化）ｘＫ２８０  Ａ／Ｆで、重量は約５２０グラム、サイズは長さ３６３ミリ、幅１８５ミリ、高さ３４４ミリのものが設計されている。材質にはとくに配慮し、従来のものではＫ２８０ｘ１６０（強化）ｘＫ２８０  Ｂ／Ｆであったが、これでは同じ構成でも３段の積み重ねで３日で座屈を生じているので、上記設計のものは、中芯を１８０（強化）に、Ａ段をＢ段にして厚くした。
その結果、３段積み重ねて１ヶ月放置しても、座屈、胴膨れはみられなかった。４段に積み重ねても１ヶ月は同様であった。なお、このテストでは成形容器に収納したものとして、洗浄剤約１４リットル、２０キログラムが使われた。また、紙箱を取り除いた状態の成形容器のみでも安定的に自立するのが確認された。
【００１３】
図４に示すような従来例は上面部が幅広で１つのみの開口部１ａを有し、開口ないし窪み領域が大きいがその幅広上面部全体から見ると小さいので積み重ねできる。本発明では上面部が幅が狭く２つの開口部２７ａ，２７ｂがありながら開口ないし窪み領域が小さく、上面部全体から見ても小さくなっており、これらが位置する上面部に他の同じ二重容器を積み重ねることが可能になる。なお、２つの切り欠き開口部２７ａ，２７ｂ間は不連続で積み重ねのときには支持壁ないし担持壁として機能する。
【００１４】
図３は本発明による紙箱の構成例を示した展開図である。
２１が底部、２２は直立側壁部、２３、２３は直立前後壁部、２４は四角形組立時の接着部、２５，２６，２６は成形容器１０を入れた後に内折りする垂れ片、２７、２７は紙箱２０の上面部構成片である。
【００１５】
上面部構成片２７，２７は、詳しくは略四角形の開口部片２７ａ，２７ａと略アーチ型の２７ｂ，２７ｂを有しており、召し合い重合されることにより２つの開口部２７ａ，２７ｂが形成され、その際折れ片２７ｓが直立してその先端が成形容器１０の把手１０ｈの近くにある凹溝１０ｓに掛け止めされる。同時に、突片２７ｐ、２７ｐを対向するスリット２７ｇ、２７ｇに通し、壁面に添着させる。
【００１６】
【発明の効果】
請求項１に記載の本発明によれば、機器などにより大方の場所が占有されてもその他の隅部など狭いスペースの場所を有効に利用でき、その場所に置くことができ、また上下に積み重ねに耐え得るようにした、液体収納二重容器が得られる。
また、請求項２に記載の発明によれば、紙箱の上面開口部にかかる折れ片が成形容器に設けた筋状凹溝に掛け止め固定されて、該上面部が安定になり、他の容器との積み重ねに耐え得る。
【図面の簡単な説明】
【図１】本発明の１実施例を示した上方斜視図。
【図２】本発明による成形容器例の上方斜視図。
【図３】本発明による紙箱例を示した展開図。
【図４】従来例による上方斜視図。
【図５】従来例成形容器の上方斜視図。
【符号の説明】
１０    成形容器          ２０    紙箱
１０ｈ  把手              ２７    上面重合部
１０ｃ  キャップ          ２７ａ  把手用開口部
１０ｓ  凹溝              ２７ｂ  キャップ用開口部
２７ｓ  筋状凹溝
【図１】
0004400987.tif 000002
【図２】
0004400987.tif 000003
【図３】
0004400987.tif 000004
【図４】
0004400987.tif 000005
【図５】
0004400987.tif 000006